(57)【要約】【課題】メモリカードを抜去する際に不用意な脱落を防止し操作性の向上を図ることでメモリカードの固定の信頼性向上に寄与し、メモリカードを挿抜する際の操作性向上を図るメモリカードの固定機構を提供する。【解決手段】プリント基板１３にネジや半田等で実装されるメモリカードスロット１４と、プリント基板１３やプリント基板１３を固定している部品にネジや半田等で固定される板バネ１１により構成され、この板バネ１１は、メモリカード１０の挿抜方向に対し鉛直でかつメモリカード１０の挿入方向後端面１０ａに当接する鉛直面１１ａと、メモリカード１０の抜去方向に対し傾斜を持つ傾斜面１１ｂと、プリント基板１３やプリント基板１３を固定している部品にネジや半田等で固定されて傾斜面を支持する支持部１１ｃとを備える。【選択図】      図３
2004178824.tif 000002
【特許請求の範囲】
【請求項１】
基板等に固定されたスロットに挿抜される情報記録媒体の固定機構に関し、
基板等に固定される支持部と、当該支持部から当該基板等から離れる方向に傾斜する傾斜面と、当該傾斜面の先端部に当該スロットに挿入された情報記録媒体の挿入方向後端部に当接し情報記録媒体の挿抜方向に鉛直な鉛直面と、を有する板バネを有することを特徴とする情報記録媒体の固定機構。
【請求項２】
前記基板等は、前記板バネが当該基板等方向に押されると前記鉛直面が当該基板等に当接する位置に穴を有することを特徴とする請求項１に記載の情報記録媒体の固定機構。
【請求項３】
前記鉛直面の先端部に、前記穴を貫通すると共に、当該穴から抜け出ないような係合部材を有することを特徴とする請求項２に記載の情報記録媒体の固定機構。
【請求項４】
前記傾斜面を前記基板等方向に押圧するレバーを有することを特徴とする請求項１〜３の何れか１に記載の情報記録媒体の固定機構。
【請求項５】
前記スロットに挿入された前記情報記録媒体を抜去するイジェクトレバーを有し、当該イジェクトレバーを押すと、第一段階として前記傾斜面を前記基板等方向に押圧し、第二段階として当該情報記録媒体をスロットから抜去するように構成することを特徴とする請求項１〜４の何れか１に記載の情報記録媒体の固定機構。
【請求項６】
前記鉛直面は、前記スロットに挿入された情報記録媒体の挿入方向後端部から所定距離後方に位置することを特徴とする請求項１〜５の何れか１に記載の情報記録媒体の固定機構。
【請求項７】
前記板バネの代わりに、基板等に回転自在に保持される保持部と、当該保持部から当該基板等から離れる方向に傾斜する傾斜面と、当該傾斜面の先端部に当該スロットに挿入された情報記録媒体の挿入方向後端部に当接し情報記録媒体の挿抜方向に鉛直な鉛直面と、を備えた固定部材を構成することを特徴とする請求項１〜６の何れか１に記載の情報記録媒体の固定機構。
【発明の詳細な説明】
【０００１】
【発明の属する技術分野】
本発明は、メモリカードをメモリカードスロットに挿入した際のメモリカードの固定機構に関する。
【０００２】
【従来の技術】
従来、この種のメモリカード固定機構は、コンピュータ装置、その他の電子装置において、外部からの振動や衝撃によるメモリカードの抜け防止、及びメモリカードを抜去する際に不用意な脱落を未然に防止することによる装置の信頼性の向上と操作性向上を目的とし、特開２００２−０２４７７０号公報や特開平１０−３２６６４１号公報に記載された機構が知られている。
【０００３】
図１に特開２００２−０２４７７０号公報に記載のメモリカード離脱防止具を示し、図２に特開平１０−３２６６４１号公報に記載の記録媒体離脱防止機構を示している。
【０００４】
特開２００２−０２４７７０号公報に記載のメモリカード離脱防止具は、基板１の外側に向かって斜め上方に伸びる傾斜部２ａと、その傾斜部２ａに比べて傾斜が緩やかな指圧部２ｂとが形成された板バネ２を基板１の外側に設け、上記板バネ２がメモリカード３の縁部３ａに当接してメモリカード３をコネクタ４の接続する方向に付勢することにより、メモリカード  ３が保持された状態となるため、外部からの振動や衝撃に対してメモリカードの抜けを防止することができるという技術が記載されている。
【０００５】
特開平１０−３２６６４１号公報に記載の記録媒体離脱防止機構は、イジェクトボタン等によりコネクタ５とメモリカード６の接続を解除したときに、板バネ７のツメ部７ａが切り欠き６ａに係合することにより、メモリカード６の不用意な脱落を防止することができるという技術が記載されている。
【０００６】
【発明が解決しようとする課題】
しかし、従来の機構では、メモリカードが外部からの振動や衝撃に対してメモリカードが抜け、また脱落する可能性がある。
【０００７】
例えば、特開２００２−０２４７７０号公報に記載のメモリカード離脱防止具のような機構では、板バネ２の傾斜部２ａを利用しメモリカード３の縁部３ａと当接することによりメモリカード３が固定された状態とされているが、傾斜部２ａの傾斜角度が緩やかな場合や、板バネのバネ力が弱い場合は、メモリカード３の縁部３ａに対する板バネ２の付勢力が外部からの振動や衝撃による付勢力よりも弱くなる可能性があり、外部からの振動や衝撃によりメモリカードが板バネ２の傾斜部２ａを乗り越えてしまう可能性がある。また、特開平１０−３２６６４１号公報に記載の記録媒体離脱防止機構では、メモリカード６の切り欠き６ａが浅い場合、板バネ７のツメ部７ａを切り欠き６ａが乗り越える可能性があり、メモリカード６を抜去する際にメモリカード６が脱落してしまう可能性がある。
【０００８】
また、従来の機構では、既存のメモリカードが使えずに汎用性が低いという問題がある。
【０００９】
例えば、特開平１０−３２６６４１号では、メモリカード６に切り欠き６ａが必要であるため、切り欠き６ａがない既存のメモリカードは使えず、非常に汎用性の低い技術となる。一方で、メモリカードは薄型化・小型化が進んでおり、切り欠き６ａを設けることはメモリカードの薄型化・小型化の妨げとなる。
【００１０】
更に、従来の技術では、メモリカードの固定具である板バネの耐久性が低いという問題がある。
【００１１】
例えば、特開２００２−０２４７７０号では、メモリカード３を抜去する際に板バネ２を押し曲げる必要があるが、押し曲げる制限がないため、板バネ２を塑性変形させる可能性があり、板バネ２の耐久性が低いものとなる。
【００１２】
そこで、本発明は、メモリカードを抜去する際に不用意な脱落を防止し操作性の向上を図ることでメモリカードの固定の信頼性向上に寄与し、メモリカードを挿抜する際の操作性向上を図るメモリカード（情報記録媒体）の固定機構を提供することを目的とする。
【００１３】
【課題を解決するための手段】
かかる課題を解決するため、本発明にかかる情報記録媒体の固定機構は、基板等に固定されたスロットに挿抜される情報記録媒体の固定機構に関し、基板等に固定される支持部と、当該支持部から当該基板等から離れる方向に傾斜する傾斜面と、当該傾斜面の先端部に当該スロットに挿入された情報記録媒体の挿入方向後端部に当接し情報記録媒体の挿抜方向に鉛直な鉛直面と、を有する板バネを有することとする。
【００１４】
この場合、前記基板等は、前記板バネが当該基板等方向に押されると前記鉛直面が当該基板等に当接する位置に穴を有することとし、また、前記鉛直面の先端部に、前記穴を貫通すると共に、当該穴から抜け出ないような係合部材を有することが望ましい。
【００１５】
また、前記傾斜面を前記基板等方向に押圧するレバーを有することとし、また、前記スロットに挿入された前記情報記録媒体を抜去するイジェクトレバーを有し、当該イジェクトレバーを押すと、第一段階として前記傾斜面を前記基板等方向に押圧し、第二段階として当該情報記録媒体をスロットから抜去するように構成することが望ましい。
【００１６】
更に、前記鉛直面は、前記スロットに挿入された情報記録媒体の挿入方向後端部から所定距離後方に位置することとしても良い。
【００１７】
一方、前記板バネの代わりに、基板等に回転自在に保持される保持部と、当該保持部から当該基板等から離れる方向に傾斜する傾斜面と、当該傾斜面の先端部に当該スロットに挿入された情報記録媒体の挿入方向後端部に当接し情報記録媒体の挿抜方向に鉛直な鉛直面と、を備えた固定部材を構成することとしても良い。
【００１８】
【発明の実施の形態】
次に、本発明の実施の形態について図面を参照して詳細に説明する。
【００１９】
図３は、本発明にかかる第１の実施の形態であるメモリカードの固定機構の斜視図と断面図を示している。図３に示すように本発明にかかるメモリカードの固定機構は、プリント基板１３にネジや半田等で実装されるメモリカードスロット１４と、プリント基板１３やプリント基板１３を固定している部品にネジや半田等で固定される板バネ１１により構成される。
【００２０】
板バネ１１は、メモリカード１０の挿抜方向に対し鉛直でかつメモリカード１０の挿入方向後端面１０ａに当接する鉛直面１１ａと、メモリカード１０の抜去方向に対し傾斜を持つ傾斜面１１ｂと、プリント基板１３やプリント基板１３を固定している部品にネジや半田等で固定されて傾斜面を支持する支持部１１ｃとを備えている。なお、板バネ１１は、人の指で板バネ１１の傾斜面１１ｂを押下することができる程度の弱いバネ力を持っている。
【００２１】
プリント基板１３は、板バネ１１の傾斜面１１ｂを押下したときに鉛直面１１ａが入ることのできる穴１３ａを備えている。
【００２２】
次に、本発明にかかる第１の実施の形態の動作について、図３及び図４を参照して詳細に説明する。
【００２３】
まず、板バネ１１は、プリント基板１３あるいはプリント基板１３を固定している部品にネジや半田等で固定し、図３に示すように組み立てられる。その後、メモリカード１０をメモリカードスロット１４に挿入する。メモリカード１０の挿入に際し、メモリカードスロット１４の挿入口は板バネ１１でふさがれているため、操作者が傾斜面１１ｂをプリント基板１３方向に押さえて挿入口を開くこともできるが、傾斜面１１ｂはプリント基板に固定されている挿入方向後方から挿入方向前方に向かって挿入口を塞ぐ方向に傾斜しており、また、支持部１１ｃによって傾斜面１１ｂ及び鉛直面１１ａが弾性支持されているため、操作者が傾斜面１１ｂを押さえなくても殆ど抵抗無くメモリカード１０をメモリカードスロット１４に挿入することができる。
【００２４】
ここで、外部からの振動あるいは衝撃などが発生すると、メモリカード１０にメモリカード１０を抜去する方向に付勢力が働き、このメモリカード１０の付勢力は、板バネ１１に作用する。
【００２５】
しかし、板バネ１１は、支持部１１ｃにおいてプリント基板１３あるいはプリント基板１３を固定している部品に固定されているため、支持部１１ｃにメモリカード１０からの付勢力に対する反力が働く。この反力は、板バネ１１の傾斜面１１ｂにメモリカード１０の挿入方向の付勢力として働き、この付勢力と外部からの付勢力が釣り合い、板バネ１１の傾斜面１１ｂがたわみ、板バネ１１のバネ力が働く。しかし、メモリカード１０の挿抜方向に対する傾斜面１１ｂの傾きを小さくすれば、板バネ１１を曲げるベクトルは小さくなるため、板バネ１１のたわみは極小となる。
【００２６】
また、この様なメモリカード１０の抜去方向に付勢力が働くと、板バネ１１は、プリント基板１３に固定されている支持部１１Ｃを中心とした回転モーメントが発生し、板バネ１１を押し上げる方向（プリント基板から離れる方向）に付勢力が働くが、この板バネ１１を押し上げる付勢力をメモリカード１０の挿入方向後端面１０ａで受けるため、板バネ１０を押し上げる付勢力の成分はメモリカード１０を抜去する方向の付勢力の成分に変わり、メモリカード１０を抜去する方向に付勢力が働いても板バネ１０が押し上がってメモリカード１０が抜けることがない。
【００２７】
メモリカード１０をメモリカードスロット１４から抜去する場合は、板バネ１１の傾斜面１１ｂを指で押して傾斜面１１ｂをプリント基板１３に押し当て、メモリカードスロット１４のイジェクトレバー１４ａを解除、又はメモリカード１０自体を引き抜き、メモリカード１０をメモリカードスロット１４から抜去する。
【００２８】
このとき、プリント基板１３は、傾斜面１１ｂが押されて鉛直面１１ａが当接する部分に穴１３ａが設けられているため、板バネ１０は、傾斜面１１ｂが押されると鉛直面１１ａはこの穴１３ａに入り、メモリカード１０の挿入口を開放する。
【００２９】
次に、本発明にかかる第２の実施の形態であるメモリカードの固定機構について図５を参照して説明する。
【００３０】
本発明の第１の実施の形態では、板バネ１１の傾斜面１１ｂを指あるいはメモリカード１０で押して板バネ１１の傾斜面１１ｂを押し下げているが、ここでは、板バネ１１の傾斜面１１ｂをメモリカードの幅よりも突出する面１１ｄを設けている。
【００３１】
つまり、メモリカード１０の抜去の際に傾斜面１１ｂを押しやすくするため、操作者が押し下げる部分である傾斜面１１ｂの全部又は一部の幅を広くして、メモリカードの幅よりも突出する面１１ｄを設たものである。
【００３２】
次に、本発明にかかる第３の実施の形態であるメモリカードの固定機構について図６を参照して説明する。
【００３３】
本発明の第１の実施の形態では、板バネ１１の傾斜面１１ｂを指あるいはメモリカード１０で押し下げているが、ここでは、板バネ１１の傾斜面１１ｂに連動するレバー１５を設けている。
【００３４】
レバー１５は、メモリカード１０の挿抜方向にスライド可能に構成され、このスライド方向の付勢力を傾斜面１１ｂを押し下げる付勢力に変換するように構成している。
【００３５】
つまり、レバー１５を挿入方向にスライドさせると、レバー１５の挿入方向前方面が傾斜面１１ｂに当接し、メモリカード１０を挿入するときと同様に、板バネ１１が押し下げられる。
【００３６】
なお、操作性向上のためレバー１５を傾斜面から離して設ける場合は、一般に知られている構造により、レバー１５のスライド方向の付勢力を板バネ１１を押し下げる付勢力に変換させるようにする。
【００３７】
このような構成のレバー１５は、イジェクトレバー１４ａと一体になった構成でも良く、この場合は、レバー１５を挿入方向に押すと、第１段階として板バネ１１が押し下げられ、第２段階としてメモリカード１０がメモリカードスロット１４から抜去されるようになる。
【００３８】
次に、本発明にかかる第４の実施の形態であるメモリカードの固定機構について図７を参照して説明する。
【００３９】
本発明の第１、第２及び第３の実施の形態では、鉛直面１１ａがメモリカード１０の端面１０ａに当接しているが、ここでは、メモリカードスロット１４に挿入されたメモリカード１０の端面１０ａから板バネ１１の鉛直面１１ａを離して構成している。
【００４０】
メモリカード１０を抜去する場合は、メモリカード１０をイジェクトレバー１４ａ等で抜去し、メモリカード１０の端面１０ａを一旦鉛直面１１ａで受ける。その後、本発明の第１の実施の形態と同じ方法で、傾斜面１１ｂを押し下げてメモリカード１０を抜去する。
【００４１】
つまり、メモリカード１０がメモリカードスロット１４に強固に固定されていると、力を強めてメモリカード１０を抜去することになるが、その際、抜去の勢いにより不用意にメモリカードを脱落させない効果をも併せて備えている。
【００４２】
このような構成において、第３の実施の形態と同様に、イジェクトレバー１４ａとレバー１５を一体構成としても良く、この場合は、レバー１５を挿入方向に押すと、第１段階としてメモリカードスロット１４から抜去され、第２段階として板バネ１１が押し下げられて、メモリカード１０を抜去することができる。
【００４３】
次に、本発明にかかる第５の実施の形態であるメモリカードの固定機構について図８を参照して説明する。
【００４４】
本発明の第１、第２、第３及び第４の実施の形態では、鉛直面１１ａはプリント基板１３の穴１３ａに差し込まれるように構成されているが、ここでは、鉛直面１１ａに、プリント基板１３と係合する係合部１１ｅを備えている。
【００４５】
この係合部１１ｅは、プリント基板１３ａの穴１３ａを貫通している鉛直面１１ａの先端部を、穴１３ａから抜けでないようにプリント基板１３と係合するように折り曲げ、また他の係合部材を取り付けて構成している。
【００４６】
メモリカード１０が鉛直面１１ａに当接すると板バネ１１に押し上げる付勢力が働くが、係合部１１ｅによりプリント基板１３と係合することにより、この押し上げる付勢力が係合部１１ｅによって制限される。つまり、鉛直面１１ａが穴１３ａから抜けないため、メモリカード１０の固定を確実なものとする。
【００４７】
次に、本発明にかかる第６の実施の形態であるメモリカードの固定機構について図９を参照して説明する。
【００４８】
上記実施の形態では、メモリカードの固定機構として板バネ１１を用いているが、ここでは板バネの鉛直面と傾斜面を備える固定部材１６を備えている。
【００４９】
この固定部材１６は、メモリカード１０の挿抜方向に対し鉛直でかつメモリカード１０の挿入方向後端面に当接する鉛直面１７と、メモリカード１０の抜去方向に対し傾斜を持つ傾斜面１８と、プリント基板１３等に回転自在に保持される回転保持部１９と、鉛直面１７がメモリカード１０の挿入方向後端面に当接する範囲で固定部材１６を押し上げる方向に付勢する付勢手段２０とを備えている。なお、この付勢手段２０は、人の指で固定部材１６の傾斜面１８を押下することができる程度の弱いバネ力を持っている。
【００５０】
また、プリント基板は固定部材１６の回転を阻害しないように、固定部材１６の形状に対応して穴が設けられている。
【００５１】
つまり、板バネによる場合は板バネ自体の弾性力を利用して固定機構を形成していたが、第６の実施の形態は、固定部材１６に弾性を有する付勢手段２０を併せて固定機構を形成しているものである。
【００５２】
【発明の効果】
以上説明したように、本発明によれば、メモリカードの挿入方向後端面を板バネの鉛直面で固定するため、支持部と傾斜面による板バネを押し上げる付勢力は、メモリカードの挿入方向後端面に当接する鉛直面によって受けるため、板バネを押し上げる付勢力の成分をメモリカードを抜去する方向の成分に変え、これによりメモリカードを抜去する方向に付勢力が働いても、板バネはこの付勢力により押し上がってメモリカードの挿入方向後端面から抜けることがない。
【００５３】
更に、プリント基板の穴を貫通している鉛直面の先端部に係合部材を設けることで、もし板バネを押し上げる付勢力が働いても、この押し上げる付勢力が係合部材により制限されるため、確実に板バネの鉛直面の抜けを防止することができる。
【００５４】
なお、板バネを押し下げるとプリント基板に当接して必要以上に板バネを押し曲げることが制限されるため、板バネは塑性変形を生じることが無く、固定具である板バネの耐久性に優れる。
【００５５】
また、板バネはプリント基板に固定され、傾斜面が支持梁となってメモリカードを固定するため、メモリカードの抜去方向に対して大きな付勢力が働いてもメモリカードが抜けることがなく、メモリカードの抜け防止として信頼性が高く、また、板バネのばね力に依存せずにメモリカードを確実に固定できるため、板バネのばね力を小さくすることができ、板バネを操作する力も小さくて済む。
【００５６】
また、板バネはメモリカードスロットに挿入されたメモリカードの進行方向後方に位置し、その形状、位置、大きさ等の制限が少なくなり、傾斜面の角度を小さくすることができるため、傾斜面はプリント基板に対する角度を小さくすることができ支持梁としての効果をより高くすることができる。
【００５７】
そして、メモリカードの挿入方向後端面に板バネの鉛直面を当接させて固定するため、固定するメモリカードの形状に依存されず、既存のメモリカードや、メモリカードの大きさや形状が異なってもメモリカードの固定が可能となり、汎用性に優れる。
【００５８】
更に、鉛直面をメモリカードスロットに挿入されたメモリカードの挿入方向後端部から所定距離後方に位置させることで、メモリカードをメモリカードスロットから抜去した際に、勢い余ってメモリカードを不用意に脱落させることがなく、操作性にも優れる。
【００５９】
また、板バネを押圧するレバーを備えることで、イジェクトレバーの操作方向と同じ方向にレバーを操作することで板バネが押圧され、固定機構が介助されるので、板バネを直接応接することが煩わしい場合には特に有効である。
【００６０】
また、板バネの固定にネジ止めや半田付けが必要になり、プリント基板に穴を設けることが必要になるが、基本的に板バネ１個でメモリカードの固定が可能となるため、部品点数が少なく、コストを低減することができる。
【００６１】
一方、板バネの代わりに、それ自体ばね力がない固定部材を用い、この固定部材を他の付勢手段により板バネと同様な作用効果を奏するものとしたことにより、種々の要請に応えうる固定機構を提供することができる。
【図面の簡単な説明】
【図１】特開２００２−０２４７７０号公報に記載のメモリカード離脱防止具を示した斜視図である。
【図２】特開平１０−３２６６４１号公報に記載の記録媒体離脱防止機構を示した断面図である。
【図３】本発明の第１の実施の形態に係るメモリカード固定機構の斜視図及び断面図を示した斜視図及び断面図である。
【図４】メモリカード１０を挿抜する状態を示した斜視図及び断面図である。
【図５】本発明の第２の実施の形態の構成を示す斜視図である。
【図６】本発明の第３の実施の形態の構成を示す斜視図である。
【図７】本発明の第４の実施の形態の構成を示す斜視図である。
【図８】本発明の第５の実施の形態の構成を示す斜視図及び断面図である。
【図９】本発明の第６の実施の形態の構成を示す断面図である。
【符号の説明】
１  ：従来技術の基板
２  ：従来技術の板バネ
２ａ：従来技術の板バネの傾斜部
２ｂ：従来技術の板バネの指圧部
３  ：従来技術のメモリカード
３ａ：従来技術のメモリカードの縁部
４  ：従来技術のコネクタ
５  ：従来技術のコネクタ
６  ：従来技術のメモリカード
６ａ：従来技術のメモリカードの切り欠き
７  ：従来技術の板バネ
７ａ：従来技術の板バネのツメ部
１０  ：メモリカード
１０ａ：挿入方向後端面
１１  ：板バネ
１１ａ：鉛直面
１１ｂ：傾斜面
１１ｃ：支持部
１１ｄ：板バネの傾斜面の突出した面
１１ｅ：係合部
１３  ：プリント基板
１３ａ：穴
１４  ：メモリカードスロット
１４ａ：イジェクタレバー
１５  ：レバー
１６  ：固定部材
１７  ：鉛直面
１８  ：傾斜面
１９  ：回転保持部
２０  ：付勢手段
【図１】
2004178824.tif 000003
【図２】
2004178824.tif 000004
【図３】
2004178824.tif 000005
【図４】
2004178824.tif 000006
【図５】
2004178824.tif 000007
【図６】
2004178824.tif 000008
【図７】
2004178824.tif 000009
【図８】
2004178824.tif 000010
【図９】
2004178824.tif 000011